(57)【要約】      （修正有）【課題】両手で二つの収納ケースを分離させ、スライドカバーをスライドさせて収納空間を開閉することにより、爪を傷つけず、かつ指が不自由な人でも簡単に錠剤を収納することができる錠剤収納ケースを提供する。【解決手段】錠剤収納ケースであって、二つの収納ケース１０、３０と二つのスライドカバー２０、４０を備え、各収納ケースは、端面１２、３２を有すると共に内部に収納空間が形成され、端面上に、開口、レール１２２、３２２、連結側辺、及び係合部１２４、３２４を有し、開口は収納空間と連通し、両収納ケースの連結側辺は互いに連結されており、両収納ケースは、係合部を介して互いに結合可能に係合され、両収納ケースが係合により結合されると、両収納ケースの端面が互いに対向するように配置され、両スライドカバーは、レール上に摺動可能に設置され、それにより、開口を選択的に開閉する。【選択図】図２
0003231751.tif 000002
【実用新案登録請求の範囲】
【請求項１】
錠剤収納ケースであって、第１収納ケースと、第１スライドカバーと、第２収納ケースと、第２スライドカバーを備え、
前記第１収納ケースは、内部に第１収納空間が形成されると共に、第１端面を含み、該第１端面上に、第１開口、第１レール、第１連結側辺、及び第１係合部を有し、該第１開口は、該第１収納空間と連通し、
前記第１スライドカバーは、前記第１レール上に摺動可能に設置され、それにより、前記第１開口を選択的に開閉し、
前記第２収納ケースは、内部に第２収納空間が形成されると共に、第２端面を含み、該第２端面上に、第２開口、第２レール、第２連結側辺、及び第２係合部を有し、該第２開口は、該第２収納空間と連通し、該第２連結側辺と前記第１収納ケースの第１連結側辺とは連結されており、該第２収納ケースと該第１収納ケースは、該第２収納ケースの第２係合部と第１収納ケースの第１係合部を介して互いに結合可能に係合され、該第２収納ケースと該第１収納ケースが係合により結合されると、該第２収納ケースの第２端面と第１収納ケースの第１端面が互いに対向するように配置され、
前記第２スライドカバーは、前記第２レール上に摺動可能に設置され、それにより、前記第２開口を選択的に開閉することを特徴とする錠剤収納ケース。
【請求項２】
請求項１に記載の錠剤収納ケースにおいて、連結部材をさらに備え、
該連結部材は、第１エッジ及び第２エッジを有し、該第１エッジが前記第１収納ケースの第１連結側辺に枢動可能に連結され、該第２エッジが前記第２収納ケースの第２連結側辺に枢動可能に連結され、該連結部材を介して、該第２連結側辺と該第１連結側辺が互いに連結されると共に、該第２収納ケースと該第１収納ケースとが枢動可能に結合されることを特徴とする錠剤収納ケース。
【請求項３】
請求項１又は請求項２に記載の錠剤収納ケースにおいて、
前記第１収納ケースは、前記第１端面の周縁において、前記第１開口及び第１レールを取り囲むように形成される第１端壁をさらに備え、前記第１連結側辺は、該第１端壁の外側に位置し、前記第１係合部が該第１端壁上に配置され、
前記第２収納ケースは、前記第２端面の周縁において、前記第２開口及び第２レールを取り囲むように形成される第２端壁をさらに備え、前記第２連結側辺は、該第２端壁の外側に位置し、前記第２係合部が該第２端壁上に配置され、
前記第２収納ケースと前記第１収納ケースが係合により結合されると、該第１端壁の頂面が該第２端壁の頂面に密接し、前記第１スライドカバー及び前記第２スライドカバーが、該第１収納ケースと該第２収納ケースとの間に収容されることを特徴とする錠剤収納ケース。
【請求項４】
請求項１又は請求項２に記載の錠剤収納ケースにおいて、
前記第１連結側辺と前記第１係合部がそれぞれ、前記第１端面における相対する両側縁に配置され、
前記第２連結側辺と前記第２係合部がそれぞれ、前記第２端面における相対する両側縁に配置されることを特徴とする錠剤収納ケース。
【請求項５】
請求項１又は請求項２に記載の錠剤収納ケースにおいて、
前記第１スライドカバーと前記第２スライドカバーはそれぞれ、第１突起と第２突起を含み、該第１スライドカバーと該第２スライドカバーがそれぞれ、前記第１開口と前記第２開口を閉じ、前記第２収納ケースと前記第１収納ケースが互いに係合連結されると、該第１突起は、該第２スライドカバーの移動により該第２開口を開放する摺動経路上で、該第２スライドカバーの第２突起をブロックし、同じく、該第２突起は、該第１スライドカバーの移動により該第１開口を開放する摺動経路上で、該第１スライドカバーの第１突起をブロックし、これにより、該第１スライドカバーと該第２スライドカバーがそれぞれ該第１開口と該第２開口を開放するのを防止することを特徴とする錠剤収納ケース。
【考案の詳細な説明】
【技術分野】
【０００１】
本考案は、収納ケースに関し、特に、錠剤を収納する錠剤収納ケースに関するものである。
【背景技術】
【０００２】
従来の錠剤収納ケースのほとんどは、四方形の箱体であって、その内部空間を仕切って互いに独立した複数の錠剤収納空間が形成され、各錠剤収納空間の開口は上向きであり、各錠剤収納空間に対応する開口を開閉することが可能な複数の蓋を有する。
【０００３】
従来の錠剤収納ケースの利用において、錠剤を入れたり、取り出したりするとき、使用者は、爪や指先で蓋を持ち上げるように開ける必要があることから、爪を傷める虞があるだけでなく、指関節を怪我している人や、長爪、指力の弱い人に対して、蓋を開けるのは困難であるので、従来の錠剤収納ケースの構造を改善する必要があった。
【考案の概要】
【考案が解決しようとする課題】
【０００４】
本考案は、前記の従来技術の欠点に鑑みてなされたものであり、両手で二つの収納ケースを分離させ、スライドカバーをスライドさせて収納空間を開閉することにより、爪を傷つけず、かつ指が不自由な人でも簡単に錠剤を収納することができる錠剤収納ケースを提供することを目的としている。
【課題を解決するための手段】
【０００５】
上記目的を達成するために、本考案は、錠剤収納ケースであって、第１収納ケースと、第１スライドカバーと、第２収納ケースと、第２スライドカバーを備え、
前記第１収納ケースは、内部に第１収納空間が形成されると共に、第１端面を含み、該第１端面上に、第１開口、第１レール、第１連結側辺、及び第１係合部を有し、該第１開口は、該第１収納空間と連通し、
前記第１スライドカバーは、前記第１レール上に摺動可能に設置され、それにより、前記第１開口を選択的に開閉し、
前記第２収納ケースは、内部に第２収納空間が形成されると共に、第２端面を含み、該第２端面上に、第２開口、第２レール、第２連結側辺、及び第２係合部を有し、該第２開口は、該第２収納空間と連通し、該第２連結側辺と前記第１収納ケースの第１連結側辺とは連結されており、該第２収納ケースと該第１収納ケースは、該第２収納ケースの第２係合部と第１収納ケースの第１係合部を介して互いに結合可能に係合され、該第２収納ケースと該第１収納ケースが係合により結合されると、該第２収納ケースの第２端面と第１収納ケースの第１端面が互いに対向するように配置され、
前記第２スライドカバーは、前記第２レール上に摺動可能に設置され、それにより、前記第２開口を選択的に開閉することを特徴とする。
【０００６】
前記錠剤収納ケースにおいて、連結部材をさらに備え、該連結部材は、第１エッジ及び第２エッジを有し、該第１エッジが前記第１収納ケースの第１連結側辺に枢動可能に連結され、該第２エッジが前記第２収納ケースの第２連結側辺に枢動可能に連結され、該連結部材を介して、該第２連結側辺と該第１連結側辺が互いに連結されると共に、該第２収納ケースと該第１収納ケースとが枢動可能に結合されることを特徴とする錠剤収納ケース。
【０００７】
前記錠剤収納ケースにおいて、
前記第１収納ケースは、前記第１端面の周縁において、前記第１開口及び第１レールを取り囲むように形成される第１端壁をさらに備え、前記第１連結側辺は、該第１端壁の外側に位置し、前記第１係合部が該第１端壁上に配置され、
前記第２収納ケースは、前記第２端面の周縁において、前記第２開口及び第２レールを取り囲むように形成される第２端壁をさらに備え、前記第２連結側辺は、該第２端壁の外側に位置し、前記第２係合部が該第２端壁上に配置され、
前記第２収納ケースと前記第１収納ケースが係合により結合されると、該第１端壁の頂面が該第２端壁の頂面に密接し、前記第１スライドカバー及び前記第２スライドカバーが、該第１収納ケースと該第２収納ケースとの間に収容されることを特徴とする錠剤収納ケース。
【０００８】
前記錠剤収納ケースにおいて、
前記第１連結側辺と前記第１係合部がそれぞれ、前記第１端面における相対する両側縁に配置され、
前記第２連結側辺と前記第２係合部がそれぞれ、前記第２端面における相対する両側縁に配置されることを特徴とする錠剤収納ケース。
【０００９】
前記錠剤収納ケースにおいて、
前記第１スライドカバーと前記第２スライドカバーはそれぞれ、第１突起と第２突起を含み、該第１スライドカバーと該第２スライドカバーがそれぞれ、前記第１開口と前記第２開口を閉じ、前記第２収納ケースと前記第１収納ケースが互いに係合連結されると、該第１突起は、該第２スライドカバーの移動により該第２開口を開放する摺動経路上で、該第２スライドカバーの第２突起をブロックし、同じく、該第２突起は、該第１スライドカバーの移動により該第１開口を開放する摺動経路上で、該第１スライドカバーの第１突起をブロックし、これにより、該第１スライドカバーと該第２スライドカバーがそれぞれ該第１開口と該第２開口を開放するのを防止することを特徴とする錠剤収納ケース。
【考案の効果】
【００１０】
本考案の錠剤収納ケースは、収納空間を有する第１、第２収納ケースを有し、当該二つの収納ケースのそれぞれの端面上に、収納空間と連通する開口及び開口を開閉可能なスライドカバーが設けられることにより、スライドカバーはそれぞれ、収納空間を開閉することができ、また、第１収納ケースと第２収納ケースが、第１連結側辺と第２連結側辺を介して枢動可能に連結されると共に、第１端面上の第１係合部と第２端面上の第２係合部を介して選択的に結合可能に係合される。このような設計により、使用者は、錠剤を本考案の錠剤収納ケースの収納空間内に収納した後、スライドカバーで開口を閉じて、両収納ケースを対向するように結合すれば、両収納ケースの端面が互いの開口を遮蔽し、開口が開放されるような事態の発生を確実に防止でき、さらに、錠剤を本考案の錠剤収納ケースの収納空間から取り出すとき、両手で両収納ケースを掴んで、係合されている第１係合部と第２係合部を二分するように分離させ、露出した各自の端面上のスライドカバーをスライドさせれば開口を開放することができる。このように、本考案の錠剤収納ケースによれば、両手で二つの収納ケースを分離させ、スライドカバーをスライドさせて収納空間を開放することができ、且つ爪を傷つけず、指が不自由な人でも簡単に錠剤を収納することができる。
【図面の簡単な説明】
【００１１】
【図１】本考案に係る錠剤収納ケースの斜視図である。
【図２】本考案に係る、錠剤収納ケースを開放する操作を示す模式図である。
【図３】本考案に係る、錠剤収納ケースを開放する操作を示す模式図である。
【図４】本考案に係る、錠剤収納ケースを開放する操作を示す模式図である。
【図５】本考案に係る錠剤収納ケースの断面図である。
【図６】本考案に係る錠剤収納ケースを別の角度から見た断面図である。
【考案を実施するための形態】
【００１２】
本考案の目的を達成するために採用された技術手段を、以下の図面及び好ましい実施形態により説明する。
【００１３】
図１及び図２に示すように、本考案に係る錠剤収納ケースは、第１収納ケース１０、第１スライドカバー２０、第２収納ケース３０、第２スライドカバー４０、連結部材５０を備える。
【００１４】
図３、図４及び図５に示すように、第１収納ケース１０は、内部に第１収納空間１１が形成されると共に、第１端面１２及び第１端壁１３を含み、該第１端面１２上に、第１開口１２１、第１レール１２２、第１連結側辺１２３及び第１係合部１２４を有し、該第１開口１２１は、第１収納空間１１と連通し、第１端壁１３は、第１端面１２の周縁において、第１開口１２１及び第１レール１２２を取り囲むように設けられ、該第１連結側辺１２３は、第１端壁１３の外側に位置し、該第１係合部１２４は、第１端壁１３上に配置される。尚、本実施形態において、第１係合部１２４と第１連結側辺１２３はそれぞれ、第１端面１２における、相対する両側縁に配置されている。
【００１５】
図３、図４及び図６に示すように、第１スライドカバー２０は、第１レール１２２上に摺動可能に設置され、それにより、第１開口１２１を選択的に開閉することができる。尚、本実施形態において、第１スライドカバー２０は第１突起２１を有する。
【００１６】
図３、図４及び図５に示すように、第２収納ケース３０は、内部に第２収納空間３１が形成されると共に、第２端面３２及び第２端壁３３を含み、該第２端面３２上に、第２開口３２１、第２レール３２２、第２連結側辺３２３及び第２係合部３２４を有し、該第２開口３２１は、第２収納空間３１と連通し、該第２端壁３３は、第２端面３２の周縁において、第２開口３２１及び第２レール３２２を取り囲むように形成され、該第２連結側辺３２３は、第２端壁３３の外側に位置し、該第２係合部３２４は、第２端壁３３上に配置される。尚、本実施形態において、第２係合部３２４と第２連結側辺３２３はそれぞれ、第２端面３２における、相対する両側縁に配置されている。
【００１７】
図３、図４及び図６に示すように、第２スライドカバー４０は、第２レール３２２上に摺動可能に設置され、それにより、第２開口３２１を選択的に開閉することができる。尚、本実施形態において、第２スライドカバー４０は第２突起４１を有する。
【００１８】
図２、図３及び図５に示すように、連結部材５０は、第１エッジ及び第２エッジを有し、該第１エッジは、第１収納ケース１０の第１連結側辺１２３に枢動可能に連結され、該第２エッジは、第２収納ケース３０の第２連結側辺３２３に連結され、該連結部材５０を介して、第２収納ケース３０の第２連結側辺３２３と第１収納ケース１０の第１連結側辺１２３とが互いに連結されると共に、第２収納ケース３０と第１収納ケース１０が摺動可能に結合される。詳しく述べると、前記第２収納ケース３０と第１収納ケース１０は、第２係合部３２４と第１係合部１２４との係合作用により、互いに結合することが可能となる。
【００１９】
第２収納ケース３０と第１収納ケース１０が係合結合されると、第２収納ケース３０の第２端面３２と第１収納ケース１０の第１端面１２とが互いに対向するように配置されることで、第１端面１２及び第２端面３２上の第１スライドカバー２０及び第２スライドカバー４０がそれぞれ、第２収納ケース３０及び第１収納ケース１０に覆われるので、スライドカバーが不意に開放されるような事態の発生を防止できる。尚、本実施形態においては、第２収納ケース３０と第１収納ケース１０とが結合されると、第１端壁１３の頂面が第２端壁３３の頂面に密接し、これにより、第１スライドカバー２０と第２スライドカバー４０とが、第１収納ケース１０と第２収納ケース３０との間に収容されているので、スライドカバーが不意に開放されるような事態の発生を確実に防止することができる。
【００２０】
尚、第１収納ケース１０と第２収納ケース３０との連結手段はこれに限定されるものではなく、例えば、他の実施形態においての錠剤収納ケースは、連結部材５０を有しなくてもよく、その場合には、第１収納ケース１０の第１連結側辺１２３と第２収納ケース３０の第２連結側辺３２３とがヒンジにより連結され、第１収納ケース１０と第２収納ケース３０が当該ヒンジにより、枢動可能に連結される構成でもよい。
【００２１】
図６に示すように、本実施形態においては、第１スライドカバー２０及び第２スライドカバー４０がそれぞれ、第１開口１２１及び第２開口３２１を遮蔽する状態で、第２収納ケース３０と第１収納ケース１０とが互いに係合連結されると、第２スライドカバー４０が移動して第２開口３２１を開放する移動経路上で、第１突起２１が第２スライドカバー４０の第２突起４１をブロックし、同じく、第１スライドカバー２０が移動して第１開口１２１を開放する移動経路で、第２突起４１が第１スライドカバー２０の第１突起２１をブロックし、これにより、第１スライドカバー２０と第２スライドカバー４０がそれぞれ、第１開口１２１と第２開口３２１を開放することができなくなる。つまり、第１収納ケース１０と第２収納ケース３０とが互いに係合結合されると、振動により、第１開口１２１及び第２開口３２１が不意に開放してしまうことがないので、第１収納ケース１０と第２収納ケース３０とを二分するように分離させる瞬間に収容空間内に収容されている錠剤がこぼれるのを防止することができる。
【００２２】
本考案の錠剤収納ケースは、収納空間１１、３１を有する第１、第２収納ケース１０、３０を有し、当該二つの収納ケース１０、３０のそれぞれの端面１２、３２上に、収納空間１１、３１と連通する開口１２１、３２１、及び当該開口１２１、３２１を開閉可能なスライドカバー２０、４０が設けられることにより、スライドカバー２０、４０はそれぞれ、収納空間１１、３１を開閉することができ、また、第１収納ケース１０と第２収納ケース３０が、第１連結側辺１２３と第２連結側辺３２３を介して枢動可能に連結されると共に、第１端面１２上の第１係合部１２４と第２端面３２上の第２係合部３２４を介して選択的に結合可能に係合される。このような設計により、使用者は、錠剤を本考案の錠剤収納ケースの収納空間１１、３１内に収納した後、スライドカバー２０、４０で開口１２１、３２１を閉じて、両収納ケース１０、３０を対向するように結合すれば、両収納ケース１０、３０の端面が互いの開口１２１、３２１を遮蔽し、開口１２１、３２１が開放されるような事態の発生を確実に防止でき、さらに、錠剤を本考案の錠剤収納ケースの収納空間１１、３１から取り出すとき、両手で両収納ケース１０、３０を掴んで、係合されている第１係合部１２４と第２係合部３２４を二分するように分離させ、露出した各自の端面１２、３２上のスライドカバー２０、４０をスライドさせれば開口１２１、３２１を開放することができる。このように、本考案の錠剤収納ケースによれば、両手で二つの収納ケース１０、３０を分離させ、スライドカバー２０、４０をスライドさせて収納空間１１、３１を開放することができ、且つ爪を傷つけず、指が不自由な人でも簡単に錠剤を収納することができる。
【００２３】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２４】
１０  第１収納ケース
１１  第１収納空間
１２  第１端面
１２１  第１開口
１２２  第１レール
１２３  第１連結側辺
１２４  第１係合部
１３  第１端壁
２０  第１スライドカバー
２１  第１突起
３０  第２収納ケース
３１  第２収納空間
３２  第２端面
３２１  第２開口
３２２  第２レール
３２３  第２連結側辺
３２４  第２係合部
３３  第２端壁
４０  第２スライドカバー
４１  第２突起
５０  連結部材
【図１】
0003231751.tif 000003
【図２】
0003231751.tif 000004
【図３】
0003231751.tif 000005
【図４】
0003231751.tif 000006
【図５】
0003231751.tif 000007
【図６】
0003231751.tif 000008